(57)【要約】【課題】  単なる袋の口部の開口端を閉じた状態で着脱自在に吊り下げできること、その状態で一般的なフックなどの係止具に袋の表裏面が見る者に対面して横一列に陳列できる陳列用吊り下げ具を提供すること。【解決手段】  一対の開閉自在に接合される所要面積の吊下保持体１と、両吊下保持体１の上端に接合される吊下支持体２とから成り、前記両吊下保持体１の裏面にそれぞれ外面を剥離紙３で被覆した両面接着テープ４を接着して成り、吊下支持体２に係止孔５を貫設して成る。このほか、吊下支持体２を紐体７に代えたり、吊下保持体１にその下端から複数個所に渡ってスリット６を配設するなどである。【選択図】  図５
2006015047.tif 000002
【特許請求の範囲】
【請求項１】
一対の開閉自在に接合される所要面積の吊下保持体と、両吊下保持体の上端に接合される吊下支持体とから成り、前記両吊下保持体の裏面にそれぞれ外面を剥離紙で被覆した両面接着テープを接着して成り、吊下支持体に係止孔を貫設して成る陳列用吊り下げ具。
【請求項２】
前記吊下支持体が両吊下保持体をその上端部両端から吊り下げる紐体から成る請求項１記載の陳列用吊り下げ具。
【請求項３】
前記両吊下保持体にその下端から上部に向けて複数個所に渡ってスリットを配設して成る請求項１又は２記載の陳列用吊り下げ具。
【発明の詳細な説明】
【技術分野】
【０００１】
本発明は、袋物のホルダーの分野に属し、主として手提げ部分のない単なる袋の開口部に接合される陳列用吊り下げ具に関する。
【背景技術】
【０００２】
袋物の手提げ部分に係止されて袋物を保持するホルダーは種々提案されているが、手提げ部分のない単なる袋の開口部に接合されるホルダーは、特開２００１−７００４２号公報に「簡易粘着接合手提げ具」として開示されている。
この簡易粘着接合手提げ具は、展開した一本の手提げシートの両端に幅広のパット力点固定部を設け、このパット力点固定部の裏面にパット粘着接合部を配置したもので、基本的には袋の口部の開口端に跨設して相対向する外面にそれぞれパット粘着接合部を粘着して使用されるから、手に持って袋を持ち運ぶには便利であるが陳列用に使用しようとすると、袋の口部の全体が開口状態となり、リサイクル品などの陳列品の場合には中身の出入が自由となって紛らわしいなどのトラブルを誘発する。その上、提げ手となる円弧状に湾
曲した内面は袋の表裏面と平行であるから、表裏面を左右方向に向けて吊り下げるには一般的なフックで支障なくできるが、この状態では陳列品の中身や説明を一目瞭然と判断できず、表面又は裏面を見る者に対面して横一線に陳列しようとすると、吊り下げ用のフックを横向きにしなければならず、陳列面でも一工夫を要する。
【特許文献１】特開２００１−７００４２号公報
【発明の開示】
【発明が解決しようとする課題】
【０００３】
本発明は袋の口部を閉じた状態で着脱自在に吊り下げできるとともに、陳列棒などの支持部材の長手方向に直角に接合する一般的なフックなどの係止具に吊り下げたときに、袋の表裏面が見る者に対面して横一列に陳列できる陳列用吊り下げ具を提供するものである。
【課題を解決するための手段】
【０００４】
請求項１に記載した陳列用吊り下げ具は、一対の開閉自在に接合される所要面積の吊下保持体と、両吊下保持体の上端に接合される吊下支持体とから成り、前記両吊下保持体の裏面にそれぞれ外面を剥離紙で被覆した両面接着テープを接着して成り、吊下支持体に係止孔を貫設して成る。
【０００５】
請求項２に記載した陳列用吊り下げ具は、請求項１に記載した陳列用吊り下げ具において、吊下支持体が両吊下保持体をその上端部両端から吊り下げる紐体から成る。
【０００６】
請求項３に記載した陳列用吊り下げ具は、請求項１又は２に記載した陳列用吊り下げ具において、両吊下保持体にその下端から上部に向けて複数個所に渡ってスリットを配設して成る。
【発明の効果】
【０００７】
本発明によれば、吊下保持部によって袋の口部の開口端が閉鎖され、吊下保持部の接着面に対して吊下支持体の係止孔の軸心が直角であるから、陳列棒などの支持部材の長手方向に直角に接合する一般的なフックなどの係止具に前記係止孔を係止すれば、陳列品を収納保管した袋をその表裏面が見る者に対面して横一列に陳列できる効果がある。また、吊下保持部にスリットを刻設したものでは、陳列品で膨らんだ袋のしわ状の口部になじんで吊下保持体を接着できる効果がある。このほか、一度使用後も両面接着テープ４を交換するだけで繰返し利用できる。
【発明を実施するための最良の形態】
【０００８】
本発明の陳列用吊り下げ具において、一対の開閉自在な吊下保持体に対して接合される吊下支持体は、吊下保持体と同幅のものから狭い幅のものまで選択され、吊下保持体の上端部両端から吊り下げる紐体は紙製のものから合成樹脂製があり、吊下保持体に刻設されるスリットは平行溝のものから末広がり状のものまで選択される。
【実施例】
【０００９】
本発明の実施例を説明すると、図１に示すように陳列用吊り下げ具Ａは一対の開閉自在に接合される所要面積の吊下保持体１と、両吊下保持体１の上端に接合される吊下支持体２とから成り、両吊下保持体１の裏面にそれぞれ外面を剥離紙３で被覆した両面接着テープ４を接着して成り、吊下支持体２に係止孔５を貫設して成る。
【００１０】
図２に示す陳列用吊り下げ具Ｂは一対の開閉自在に接合される所要面積の吊下保持体１と、両吊下保持体１の上端に接合される吊下支持体２とから成り、両吊下保持体１にはその裏面にそれぞれ外面を剥離紙３で被覆した両面接着テープ４を接着するとともに、その下端から上部に向けて複数個所（３個所）に渡ってスリット６を切り込み、吊下支持体２に係止孔５を貫設して成る。
【００１１】
図３に示す陳列用吊り下げ具Ｃは陳列用吊り下げ具Ａにおいて、吊下支持体２に代えて両吊下保持体１の上端部両端に紐体７を接合して成り、係止孔５が紐体２の内部空間に代えられて成る。
【００１２】
図４に示す陳列用吊り下げ具Ｄは陳列用吊り下げ具Ｂにおいて、吊下支持体２に代えて両吊下保持体１の上端部両端に紐体７を接合して成り、係止孔５が紐体７の内部空間に代えられて成る。
【００１３】
このようにして成る陳列用吊り下げ具Ａ乃至Ｄは、プログラムソフトや衣料品などのリサイクル商品（陳列品）を袋詰めにして係止孔５又は紐体７で吊り下げ陳列使用される。その使用例を陳列用吊り下げ具Ａで説明すると、図５に示すように、陳列品を詰めた袋８の口部９を両吊下保持体１の両面接着テープ４で接着挟持し、吊下支持体２の係止孔５を支持部材１０のフック１１に係止して吊下陳列する。このとき袋８の口部９は両吊下保持体１の頂部によって閉鎖されるため、悪質な商品の入れ替えなどのトラブルを防止できる。
吊下保持体１にスリット６を配設したものでは、袋８が満杯状態の場合に口部９のふくらみの状態になじんで接着する。
【産業上の利用可能性】
【００１４】
本発明は前記の陳列品を入れた袋を吊下保持するためのものであるから、包装分野で利用される。
【図面の簡単な説明】
【００１５】
【図１】本発明の陳列用吊り下げ具Ａの斜視図。
【図２】陳列用吊り下げ具Ｂの斜視図。
【図３】陳列用吊り下げ具Ｃの斜視図。
【図４】陳列用吊り下げ具Ｄの斜視図。
【図５】陳列用吊り下げ具Ａの使用説明図。
【符号の説明】
【００１６】
１：吊下保持体
２：吊下支持体
３：剥離紙
４：両面接着テープ
５：係止孔
６：スリット
７：紐体
８：袋
９：口部
１０：支持部材
１１：フック
Ａ乃至Ｄ：陳列用吊り下げ具
【図１】
2006015047.tif 000003
【図２】
2006015047.tif 000004
【図３】
2006015047.tif 000005
【図４】
2006015047.tif 000006
【図５】
2006015047.tif 000007